(57)【要約】【課題】  使用者が高温湯栓を閉じて高温湯の使用を終了した後に、長時間を経過した場合であっても、再度使用者が、高温湯栓を開放したときには、低温の水が吐出することのない貯湯式給湯システムを提供する。【解決手段】  高温湯を貯湯する貯湯タンクと、前記貯湯タンクから高温湯を供給する第１給湯配管と、前記第１給湯配管に接続された切替部と、前記切替部に接続された第２給湯配管と、前記第２給湯配管に接続されて高温湯を使用者に提供する高温湯提供部と、前記切替部に接続されて前記貯湯タンクに高温湯を戻す第３給湯配管と、前記第１給湯配管又は前記第３給湯配管に取り付けられて貯湯タンクから第１給湯配管と切替部を経て第３給湯配管を通じて高温湯を循環させるための循環ポンプと、を備えて、前記高温湯提供部で高温湯の提供を終了した後に、前記第２給湯配管の内部の高温湯を排出する。【選択図】図１
2006010172.tif 000002
【特許請求の範囲】
【請求項１】
高温湯を貯湯する貯湯タンクと、前記貯湯タンクから高温湯を供給する第１給湯配管と、前記第１給湯配管に接続された切替部と、前記切替部に接続された第２給湯配管と、前記第２給湯配管に接続されて高温湯を使用者に提供する高温湯提供部と、前記切替部に接続されて前記貯湯タンクに高温湯を戻す第３給湯配管と、前記第１給湯配管又は前記第３給湯配管に取り付けられて貯湯タンクから第１給湯配管と切替部を経て第３給湯配管を通じて高温湯を循環させるための循環ポンプと、を備えてなり、
前記高温湯提供部で高温湯の提供を終了した後に、前記第２給湯配管の内部の高温湯を排出することを特徴とする貯湯式給湯システム。
【請求項２】
前記循環ポンプを前記第３給湯配管に取り付けてなり、前記高温湯提供部で高温湯の提供を終了した後に、前記循環ポンプを稼動することによって、前記第２給湯配管の内部の高温湯を排出することを特徴とする請求項１記載の貯湯式給湯システム。
【請求項３】
前記循環ポンプを前記第１給湯配管に取り付けてなり、前記切替部をアスピレータの構造とすることにより、前記高温湯提供部で高温湯の提供を終了した後に、前記第２給湯配管の内部の高温湯を排出することを特徴とする請求項１記載の貯湯式給湯システム。
【発明の詳細な説明】
【技術分野】
【０００１】
本発明は、高温水を貯湯している貯湯タンクから高温湯を供給する機能を有する貯湯式給湯システムに関するものである。
【背景技術】
【０００２】
従来より、特開２００４−３６９５８号公報に開示されているように、高温湯を貯湯タンクに貯湯して、使用者が高温湯栓から高温湯を手洗い等に用いることがなされている。このような貯湯式給湯システムでは、使用者が高温湯栓を閉じて高温湯の使用を終了した後に、長時間を経過すると、貯湯タンクと高温湯栓とを接続する配管中の高温湯の温度が低下することがあった。この場合に、再度使用者が、高温湯栓を開放して高温湯を使用するときには、最初は配管内部で温度の低下した水が吐出することになっていた。このために、使用者は手洗い等で不快な思いをしたり、高温湯栓から吐出する水の温度が高くなるまで待つことにより、一定量の水を排水することがあった。
【特許文献１】特開２００４−３６９５８号公報
【発明の開示】
【発明が解決しようとする課題】
【０００３】
本発明はこのような点に鑑みなされたものであって、その目的とするところは、使用者が高温湯提供部（高温湯栓）を閉じて高温湯の使用を終了した後に、長時間を経過した場合であっても、再度使用者が、高温湯提供部（高温湯栓）を開放したときには、低温の水が吐出することのない貯湯式給湯システムを提供することにある。
【課題を解決するための手段】
【０００４】
上記課題を解決するために本発明の貯湯式給湯システムは、高温湯を貯湯する貯湯タンクと、前記貯湯タンクから高温湯を供給する第１給湯配管と、前記第１給湯配管に接続された切替部と、前記切替部に接続された第２給湯配管と、前記第２給湯配管に接続されて高温湯を使用者に提供する高温湯提供部と、前記切替部に接続されて前記貯湯タンクに高温湯を戻す第３給湯配管と、前記第１給湯配管又は前記第３給湯配管に取り付けられて貯湯タンクから第１給湯配管と切替部を経て第３給湯配管を通じて高温湯を循環させるための循環ポンプと、を備えて、前記高温湯提供部で高温湯の提供を終了した後に、前記第２給湯配管の内部の高温湯を排出することを特徴としている。
【発明の効果】
【０００５】
本発明にあっては、高温湯提供部で高温湯の提供を終了した後に、第２給湯配管の内部の高温湯を排出するので、第２給湯配管の内部には、高温湯の提供を終了した後には高温湯が存在しなくなり、その温度が低下することはなくなる。そして、再度高温湯提供部で高温湯を提供する場合には、貯湯タンク内に貯湯されている高温湯が提供されることになる。したがって、使用者が高温湯栓を閉じて高温湯の使用を終了した後に、長時間を経過した場合であっても、再度使用者が、高温湯栓を開放したときには、低温の水が吐出することがなくなる。
【発明を実施するための最良の形態】
【０００６】
（実施形態１）
本実施形態の貯湯式給湯システムの構成を図１に基づいて説明する。この貯湯式給湯システムの貯湯タンク１は、図１に示すように、筒状の側面部の上下に略半球状の頂部及び底部を設けた密閉構造となっていて、上部に高温湯が、下部に低温水が貯蔵されるようになっている。この貯湯タンク１の下部には、水道等の給水手段によって、低温水が給水管２を介して供給されている。また、貯湯タンク１の下部に供給された低温水は、外部の加熱装置(図示せず)によって加熱されて高温湯となり、貯湯タンク１の上部に供給されて貯湯される。
【０００７】
また、貯湯タンク１の上部には第１給湯配管３が接続されて、高温湯を供給する構造となっている。第１給湯配管３には、切替部である三方弁６ａが接続されていて、高温湯の流れの方向を切替えられるようになっている。ここで、三方弁６ａの一方には、第２給湯配管４が接続されていて、この先端には、高温湯提供部である高温湯栓７が接続されている。また、第２給湯配管４の途中には、空気を流入させる空気弁１０が取り付けられている。さらに、三方弁６ａの他方には、第３給湯配管５が接続されていて、この先端は、貯湯タンク１の筒部に接続されている。第３給湯配管５には、水や高温湯のような流体が配管内に存在することを検知するフローセンサ９と、流体を循環させる循環ポンプ８が設けられている。
【０００８】
以下に本実施形態の貯湯式給湯システムの動作を説明する。使用者が高温湯栓７を開放すると、高温湯栓７から発せられる電気信号により、三方弁６ａは、第１給湯配管３から第２給湯配管４に高温湯が流れるように切替えられる。こうなると、水圧によって貯湯タンク１に貯湯されている高温湯は、Ａの方向に、第１給湯配管３→三方弁６ａ→第２給湯配管４→高温湯栓７へと流れて、高温湯栓７から高温湯が吐出される。そして、使用者はこの高温湯を手洗い等に使用することができる。次に、使用者が高温湯栓７を閉じると、高温湯栓７からの電気信号により、第２給湯配管４から第３給湯配管５へと高温湯が流れるように三方弁６ａを切替える。そして、循環ポンプ８を稼動させて、第２給湯配管４の内部の高温湯をＢの方向へと排出させて、高温湯を貯湯タンク１へと流入させる。このとき、空気弁１０から空気が流入するので、第２給湯配管４の内部には、空気のみが存在する状態になる。また、循環ポンプ８を稼動することにより、第２給湯配管４に続いて第３給湯配管５の高温湯も一部は排出される。このとき、フローセンサ９の部分の高温湯（流体）がなくなると、フローセンサ９がこれを検知して、電気信号を発して循環ポンプ８を停止させる。ここで、第３給湯配管５には逆止弁１１が設けられているので、貯湯タンク１に貯湯されている高温湯が、第３給湯配管５へと逆流することはない。
【０００９】
本実施形態の貯湯式給湯システムは、循環ポンプを第３給湯配管に取り付けて、高温湯提供部での高温湯の提供を終了した後に、循環ポンプを稼動させることによって、第２給湯配管の内部の高温湯を排出するので、第２給湯配管の内部には、高温湯の提供を終了した後には高温湯が存在しなくなり、その温度が低下することはなくなる。そして、再度高温湯提供部で高温湯を提供する場合には、貯湯タンク内に貯湯されている高温湯が提供されることになり、使用者が高温湯栓を閉じて高温湯の使用を終了した後に、長時間を経過した場合であっても、再度使用者が、高温湯栓を開放したときには、低温の水が吐出することがなくなる。
【００１０】
（実施形態２）
本実施形態の貯湯式給湯システムの構成を図２に基づいて説明する。この貯湯式給湯システムの貯湯タンク１、給水管２、第１給湯配管３、第２給湯配管４、第３給湯配管５、高温湯栓７の構成は、実施形態１とほぼ同じであるので、異なる構成のみを記載する。図２に示すように、循環ポンプ８は第１給湯配管３に取り付けられていて、フローセンサ９は第２給湯配管４に取り付けられていて、第３給湯配管５には仕切弁１２が取り付けられている。そして、切替部は、アスピレータ６ｂの構造となっている。
【００１１】
以下に本実施形態の貯湯式給湯システムの動作を説明する。使用者が高温湯栓７を開放すると、高温湯栓７から発せられる電気信号により、仕切弁１２が閉じられるとともに、循環ポンプ８が稼動する。こうなると、切替部が、アスピレータ６ｂの構造であっても、仕切弁１２が閉じられるために、貯湯タンク１に貯湯されている高温湯は、Ａの方向に、第１給湯配管３→アスピレータ６ｂ→第２給湯配管４→高温湯栓７へと流れることになる。こうすることにより、高温湯栓７から高温湯が吐出されて、使用者はこの高温湯を手洗い等に使用することができる。次に、使用者が高温湯栓７を閉じると、高温湯栓７から発せられる電気信号により、仕切弁１２が開放される。このときは、切替部は、アスピレータ６ｂの動作をすることになり、第２給湯配管４の内部の高温湯をＢの方向へと排出して、高温湯を貯湯タンク１へと流入させる。これとあわせて、空気弁１０から空気が流入するので、第２給湯配管４の内部には、空気のみが存在する状態になる。そして、フローセンサ９の部分の高温湯（流体）がなくなると、フローセンサ９がこれを検知して、電気信号を発して循環ポンプ８を停止させる。ここで、実施形態１と同様に、第３給湯配管５には逆止弁１１が設けられているので、貯湯タンク１に貯湯されている高温湯が、第３給湯配管５へと逆流することはない。
【００１２】
本実施形態の貯湯式給湯システムは、循環ポンプを第１給湯配管に取り付けて、切替部をアスピレータの構造としているので、切替部は動作機構を有していなくても、高温湯提供部での高温湯の提供を終了した後に、前記第２給湯配管の内部の高温湯を排出することができる。
【図面の簡単な説明】
【００１３】
【図１】実施形態１の貯湯式給湯システムの構成図である。
【図２】実施形態２の貯湯式給湯システムの構成図である。
【符号の説明】
【００１４】
１      貯湯タンク
２      給水管
３      第１給湯配管
４      第２給湯配管
５      第３給湯配管
６ａ    三方弁（切替部）
６ｂ    アスピレータ（切替部）
７      高温湯栓（高温湯提供部）
８      循環ポンプ
９      フローセンサ
１０    空気弁
１１    逆止弁
１２    仕切弁
Ａ      高温湯供給時の高温湯の流れ方向
Ｂ      高温湯停止時の高温湯の流れ方向
【図１】
2006010172.tif 000003
【図２】
2006010172.tif 000004